(57)【要約】  本開示は、セルビーム失敗処理方法、移動通信端末及びネットワーク側装置を提供し、前記移動通信端末に適用されるセルビーム失敗処理方法は、ビーム失敗の検出を少なくとも含む検出動作をターゲットセルにおいて実行することと、検出結果に応じて、ビーム失敗処理を加速する第１動作をターゲットセルにおいて実行することと、を含む。
2021533676.tif 000002
【特許請求の範囲】
【請求項１】
移動通信端末に適用されるセルビーム失敗処理方法であって、
ビーム失敗の検出を少なくとも含む検出動作をターゲットセルにおいて実行することと、
検出結果に応じて、ビーム失敗処理を加速する第１動作をターゲットセルにおいて実行することとを含む、セルビーム失敗処理方法。
【請求項２】
前記検出動作は、ビーム失敗回復条件の検出をさらに含み、検出結果に応じて、ビーム失敗処理を加速する第１動作をターゲットセルにおいて実行することは、具体的には、
ビーム失敗の検出によりビーム失敗イベントが検出され、かつビーム失敗回復条件が成立しない場合、ビーム失敗処理を加速する第１動作をターゲットセルにおいて実行することである、請求項１に記載のセルビーム失敗処理方法。
【請求項３】
前記ビーム失敗回復条件は、
ターゲットセルにおいて利用可能な候補ビームがあるか否かと、
ターゲットセルにおいてビーム失敗回復プロセスを実行するために利用可能なリソースがあるか否かと、
検出されたビーム失敗イベントに対応するビーム失敗回復失敗イベントがターゲットセルにおいて発生したか否かと、のうち少なくとも１つを含む、請求項２に記載のセルビーム失敗処理方法。
【請求項４】
ターゲットセルにおいてビーム失敗回復プロセスを実行するために利用可能なリソースがあるか否かは、具体的には、
前記ターゲットセルにおいて非競合ベースランダムアクセスＣＦＲＡプロセスのための第１リソースが設定されるか否かと、
前記ターゲットセルにおいて、ビーム失敗回復をサポートするＣＦＲＡプロセスのためのリソースである第２リソースが設定されるか否かと、
前記第２リソース上の参照信号が測定性能要件を満たすか否かと、
前記ターゲットセルにおいて競合ベースランダムアクセスＣＢＲＡプロセスのための第３リソースが設定されるか否かと、
前記ターゲットセルにおいて、ビーム失敗回復をサポートするＣＢＲＡプロセスに利用可能なリソースである第４リソースが設定されるか否かと、
前記第４リソース上の参照信号が測定性能要件を満たすか否かと、のうち少なくとも１つを含む、請求項３に記載のセルビーム失敗処理方法。
【請求項５】
前記ビーム失敗の検出は、具体的には、ターゲットセル上でターゲット参照信号を検出して得られた測定性能情報に基づいて、ビーム失敗イベントが検出されたか否かを判定することである、請求項１〜４のいずれか一項に記載のセルビーム失敗処理方法。
【請求項６】
前記ターゲット参照信号は、
ターゲットセルに対して設定されたビーム失敗の検出のための参照信号と、
ターゲットセルに対して設定されたビーム失敗イベントのための参照信号と、
ターゲットセルに対して設定されたビーム管理のための参照信号と、
ターゲットセル上で検出可能な参照信号と、
ターゲットセルに対して設定された所定数の参照信号と、のうち少なくとも１つを含む、請求項５に記載のセルビーム失敗処理方法。
【請求項７】
前記第１動作は、
ビーム失敗回復プロセスを直接的に開始する動作と、
無線リンク失敗ＲＬＦを直接的にトリガする動作と、
上位層ビーム失敗サンプルを指示する動作と、
ネットワーク側に指示情報を報告する動作と、のうち少なくとも１つを含む、請求項１〜４のいずれか一項に記載のセルビーム失敗処理方法。
【請求項８】
前記指示情報は、メディアアクセス制御用制御要素ＭＡＣ  ＣＥ、物理アップリンク制御チャネルＰＵＣＣＨ又は無線リソース制御ＲＲＣメッセージにより搬送され、
及び／又は
前記指示情報は、セカンダリセルＳｃｅｌｌ、プライマリセルＰｃｅｌｌ、プライマリセカンダリセルＰｓｃｅｌｌ又はスペシャルセルＳｐｃｅｌｌにより報告される、請求項７に記載のセルビーム失敗処理方法。
【請求項９】
前記指示情報は、
セカンダリセルＳｃｅｌｌ、プライマリセルＰｃｅｌｌ、プライマリセカンダリセルＰｓｃｅｌｌ、及び／又はスペシャルセルＳｐｃｅｌｌにおけるビーム失敗を指示する第１情報と、
測定性能要件を満たさないターゲット参照信号の数及び／又は測定性能情報を指示する第２情報と、
ターゲットセルにおいて利用可能な候補ビーム及び／又は候補ビームの参照信号の測定性能情報がないことを指示する第３情報と、
ターゲットセルにおいてビーム失敗回復プロセスを実行するために利用可能なリソースがないことを指示する第４情報と、
参照信号の測定性能情報を指示する第５情報と、
前記移動通信端末が選択した代替ビームを指示する第６情報と、
所定数の参照信号に失敗したイベントを指示する第８情報と、
所定の参照信号及び／又は候補ビームに対応する参照信号に失敗したイベントを指示する第９情報と、
設定された追加の参照信号を表示することを指示する第１０情報と、
競合ベースランダムアクセスＣＢＲＡのためのリソースの参照信号の測定性能情報を指示する第１１情報と、
参照信号の測定性能情報を指示する第１２情報と、のうち少なくとも１つを含み、参照信号は、候補ビームの参照信号、全てのビームの参照信号、所定数の参照信号、所定のビームの参照信号のうち少なくとも１つを含む、請求項７に記載のセルビーム失敗処理方法。
【請求項１０】
ネットワーク側に適用されるセルビーム失敗処理方法であって、
移動通信端末がターゲットセルに対して行われたビーム失敗の検出の結果を少なくとも含む検出結果に応じて送信した指示情報を受信することと、
指示情報に基づいて、ビーム失敗処理を加速する第２動作を実行することとを含む、セルビーム失敗処理方法。
【請求項１１】
前記検出結果は、ターゲットセルに対して行われたビーム失敗回復条件の検出の結果をさらに含む、請求項１０に記載のセルビーム失敗処理方法。
【請求項１２】
前記第２動作は、
セル再確立を開始する動作と、
セル切り替えを開始する動作と、
プライマリセカンダリセルＰｓｃｅｌｌ又はセカンダリセルＳｃｅｌｌの失敗後の関連プロセスを開始する動作と、
プライマリセカンダリセルＰｓｃｅｌｌ又はセカンダリセルＳｃｅｌｌの変更プロセスを開始する動作と、
プライマリセカンダリセルＰｓｃｅｌｌ又はセカンダリセルＳｃｅｌｌのセル解放プロセスを開始する動作と、
プライマリセカンダリセルＰｓｃｅｌｌ又はセカンダリセルＳｃｅｌｌのセル追加プロセスを開始する動作と、
ターゲットセルに利用可能な参照信号をアクティブにするプロセスを開始する動作と、
セカンダリセルＳｃｅｌｌ、プライマリセルＰｃｅｌｌ、プライマリセカンダリセルＰｓｃｅｌｌ、及び／又はスペシャルセルＳｐｃｅｌｌ上の利用可能な参照信号を前記移動通信端末へ指示する動作と、
セカンダリセルＳｃｅｌｌ、プライマリセルＰｃｅｌｌ、プライマリセカンダリセルＰｓｃｅｌｌ及び／又はスペシャルセルＳｐｃｅｌｌにより新たな利用可能な参照信号を前記移動通信端末へ指示する動作と、
セカンダリセルＳｃｅｌｌ、プライマリセルＰｃｅｌｌ、プライマリセカンダリセルＰｓｃｅｌｌ及び／又はスペシャルセルＳｐｃｅｌｌ上の新たな利用可能な参照信号により前記移動通信端末に応答する動作と、のうち少なくとも１つを含む、請求項１０又は１１に記載のセルビーム失敗処理方法。
【請求項１３】
ビーム失敗の検出を少なくとも含む検出動作をターゲットセルにおいて実行する検出モジュールと、
検出結果に応じて、ビーム失敗処理を加速する第１動作をターゲットセルにおいて実行する第１実行モジュールとを含む、移動通信端末。
【請求項１４】
前記検出動作は、ビーム失敗回復条件の検出をさらに含み、前記第１実行モジュールは、さらに、
ビーム失敗の検出によりビーム失敗イベントが検出され、かつビーム失敗回復条件が成立しない場合、ビーム失敗処理を加速する第１動作をターゲットセルにおいて実行する、請求項１３に記載の移動通信端末。
【請求項１５】
前記ビーム失敗回復条件は、
ターゲットセルにおいて利用可能な候補ビームがあるか否かと、
ターゲットセルにおいてビーム失敗回復プロセスを実行するために利用可能なリソースがあるか否かと、
検出されたビーム失敗イベントに対応するビーム失敗回復失敗イベントがターゲットセルにおいて発生したか否かと、のうち少なくとも１つを含む、請求項１４に記載の移動通信端末。
【請求項１６】
ターゲットセルにおいてビーム失敗回復プロセスを実行するために利用可能なリソースがあるか否かは、具体的には、
前記ターゲットセルにおいて非競合ベースランダムアクセスＣＦＲＡプロセスのための第１リソースが設定されるか否かと、
前記ターゲットセルにおいて、ビーム失敗回復をサポートするＣＦＲＡプロセスのためのリソースである第２リソースが設定されるか否かと、
前記第２リソース上の参照信号が測定性能要件を満たすか否かと、
前記ターゲットセルにおいて競合ベースランダムアクセスＣＢＲＡプロセスのための第３リソースが設定されるか否かと、
前記ターゲットセルにおいて、ビーム失敗回復をサポートするＣＢＲＡプロセスにも利用可能なリソースである第４リソースが設定されるか否かと、
前記第４リソース上の参照信号が測定性能要件を満たすか否かと、のうち少なくとも１つを含む、請求項１５に記載の移動通信端末。
【請求項１７】
前記ビーム失敗の検出は、具体的には、ターゲットセル上でターゲット参照信号を検出して得られた測定性能情報に基づいて、ビーム失敗イベントが検出されたか否かを判定することである、請求項１３〜１６のいずれか一項に記載の移動通信端末。
【請求項１８】
前記ターゲット参照信号は、
ターゲットセルに対して設定されたビーム失敗の検出のための参照信号と、
ターゲットセルに対して設定されたビーム失敗イベントのための参照信号と、
ターゲットセルに対して設定されたビーム管理のための参照信号と、
ターゲットセル上で検出可能な参照信号と、
ターゲットセルに対して設定された所定数の参照信号と、のうち少なくとも１つを含む、請求項１７に記載の移動通信端末。
【請求項１９】
前記第１動作は、
ビーム失敗回復プロセスを直接的に開始する動作と、
無線リンク失敗ＲＬＦを直接的にトリガする動作と、
上位層ビーム失敗サンプルを指示する動作と、
ネットワーク側に指示情報を報告する動作と、のうち少なくとも１つを含む、請求項１３〜１６のいずれか一項に記載の移動通信端末。
【請求項２０】
前記指示情報は、メディアアクセス制御用制御要素ＭＡＣ  ＣＥ、物理アップリンク制御チャネルＰＵＣＣＨ又は無線リソース制御ＲＲＣメッセージにより搬送され、
及び／又は
前記指示情報は、セカンダリセルＳｃｅｌｌ、プライマリセルＰｃｅｌｌ、プライマリセカンダリセルＰｓｃｅｌｌ又はスペシャルセルＳｐｃｅｌｌにより報告される、請求項１９に記載の移動通信端末。
【請求項２１】
前記指示情報は、
セカンダリセルＳｃｅｌｌ、プライマリセルＰｃｅｌｌ、プライマリセカンダリセルＰｓｃｅｌｌ、及び／又はスペシャルセルＳｐｃｅｌｌにおけるビーム失敗を指示する第１情報と、
測定性能要件を満たさないターゲット参照信号の数及び／又は測定性能情報を指示する第２情報と、
ターゲットセルにおいて利用可能な候補ビーム及び／又は候補ビームの参照信号の測定性能情報がないことを指示する第３情報と、
ターゲットセルにおいてビーム失敗回復プロセスを実行するために利用可能なリソースがないことを指示する第４情報と、
参照信号の測定性能情報を指示する第５情報と、
前記移動通信端末が選択した代替ビームを指示する第６情報と、
所定数の参照信号に失敗したイベントを指示する第８情報と、
所定の参照信号及び／又は候補ビームに対応する参照信号に失敗したイベントを指示する第９情報と、
設定された追加の参照信号を表示することを指示する第１０情報と、
競合ベースランダムアクセスＣＢＲＡのためのリソースの参照信号の測定性能情報を指示する第１１情報と、
参照信号の測定性能情報を指示する第１２情報と、のうち少なくとも１つを含み、参照信号は、候補ビームの参照信号、全てのビームの参照信号、所定数の参照信号、所定のビームの参照信号のうち少なくとも１つを含む、請求項１９に記載の移動通信端末。
【請求項２２】
移動通信端末がターゲットセルに対して行われたビーム失敗回復条件の検出の結果をさらに含む検出結果に応じて送信した指示情報を受信する受信モジュールと、
指示情報に基づいて、ビーム失敗処理を加速する第２動作を実行する第２実行モジュールとを含む、ネットワーク側装置。
【請求項２３】
前記検出結果は、ターゲットセルに対して行われたビーム失敗回復条件の検出の結果をさらに含む、請求項２２に記載のネットワーク側装置。
【請求項２４】
前記第２動作は、
セル再確立を開始する動作と、
セル切り替えを開始する動作と、
プライマリセカンダリセルＰｓｃｅｌｌ又はセカンダリセルＳｃｅｌｌの失敗後の関連プロセスを開始する動作と、
プライマリセカンダリセルＰｓｃｅｌｌ又はセカンダリセルＳｃｅｌｌの変更プロセスを開始する動作と、
プライマリセカンダリセルＰｓｃｅｌｌ又はセカンダリセルＳｃｅｌｌのセル解放プロセスを開始する動作と、
プライマリセカンダリセルＰｓｃｅｌｌ又はセカンダリセルＳｃｅｌｌのセル追加プロセスを開始する動作と、
ターゲットセルに利用可能な参照信号をアクティブにするプロセスを開始する動作と、
セカンダリセルＳｃｅｌｌ、プライマリセルＰｃｅｌｌ、プライマリセカンダリセルＰｓｃｅｌｌ、及び／又はスペシャルセルＳｐｃｅｌｌ上の利用可能な参照信号を前記移動通信端末へ指示する動作と、
セカンダリセルＳｃｅｌｌ、プライマリセルＰｃｅｌｌ、プライマリセカンダリセルＰｓｃｅｌｌ、及び／又はスペシャルセルＳｐｃｅｌｌにより新たな利用可能な参照信号を前記移動通信端末へ指示する動作と、
セカンダリセルＳｃｅｌｌ、プライマリセルＰｃｅｌｌ、プライマリセカンダリセルＰｓｃｅｌｌ、及び／又はスペシャルセルＳｐｃｅｌｌ上の新たな利用可能な参照信号により前記移動通信端末に応答する動作と、のうち少なくとも１つを含む、請求項２２又は２３に記載のネットワーク側装置。
【請求項２５】
メモリと、プロセッサと、前記メモリに記憶されて前記プロセッサ上で実行可能で、前記プロセッサにより実行されると、請求項１〜９のいずれか一項に記載のセルビーム失敗処理方法を実現するコンピュータプログラムと、を含む、移動通信端末。
【請求項２６】
メモリと、プロセッサと、トランシーバと、前記メモリに記憶されて前記プロセッサ上で実行可能で、前記プロセッサにより実行されると、請求項１０〜１２のいずれか一項に記載のセルビーム失敗処理方法を実現するコンピュータプログラムと、を含む、ネットワーク側装置。
【請求項２７】
プロセッサにより実行されると、請求項１〜９のいずれか一項に記載のセルビーム失敗処理方法を実現するか、又は、プロセッサにより実行されると、請求項１０〜１２のいずれか一項に記載のセルビーム失敗処理方法を実現するコンピュータプログラムが記憶されている、コンピュータ可読記憶媒体。
【発明の詳細な説明】
【技術分野】
【０００１】
関連出願の相互参照
本願は、２０１８年８月７日に提出された中国特許出願第２０１８１０８９２０７４．９号の優先権を主張するものであり、その全ての内容は参照により本願に組み込まれるものとする。
【０００２】
本開示は、通信の技術分野に関し、特にセルビーム失敗処理方法、移動通信端末及びネットワーク側装置に関する。
【背景技術】
【０００３】
将来の５Ｇ（５  Ｇｅｎｅｒａｔｉｏｎ、第５世代）移動通信システムにおいて、２０Ｇｂｐｓのダウンリンク伝送レートと１０Ｇｂｐｓのアップリンク伝送レートという目標を達成するために、高周波通信及び大規模アンテナ技術が導入されることになる。高周波通信は、より広いシステム帯域幅を提供することができ、アンテナサイズも小さくすることができることにより、基地局及びＵＥ（Ｕｓｅｒ  Ｅｑｕｉｐｍｅｎｔ、ユーザ装置）において大規模なアンテナを配置するのにより有利である。
【０００４】
５Ｇ通信システムでは、リンクの脆弱性に起因して、高周波通信においてビーム失敗が常に生じる場合がある。現在、ビーム失敗の検出は、カウンタ及びタイマのうち少なくとも１つによりビーム失敗インスタンス（ｂｅａｍ  ｆａｉｌｕｒｅ  ｉｎｓｔａｎｃｅ）をカウントすることにより実現される。現在、ビーム失敗回復プロセスは、ビーム失敗の検出と、新たな候補ビームの識別と、ビーム失敗回復要求の送信と、ビーム失敗回復要求に対する基地局の応答の端末によるモニタリングと、を含む。すなわち、現在のビーム失敗処理では、ビーム失敗が生じると、ビーム失敗回復が実行される。しかしながら、現在のビーム失敗回復は、長い時間がかかるため、端末がセルとの接続をタイムリーに回復することができないという課題が存在する。
【発明の概要】
【課題を解決するための手段】
【０００５】
本開示の実施例は、従来技術における、ビーム失敗回復に長い時間がかかるため、端末がセルとの接続をタイムリーに回復することができないという課題を解決するために、セルビーム失敗処理方法、移動通信端末及びネットワーク側装置を提供する。
【０００６】
上記技術的課題を解決するために、本開示は、以下のように実現される。
【０００７】
第１の態様では、本開示の実施例に係る、移動通信端末に適用されるセルビーム失敗処理方法は、ビーム失敗の検出を少なくとも含む検出動作をターゲットセルにおいて実行することと、検出結果に応じて、ビーム失敗処理を加速する第１動作をターゲットセルにおいて実行することと、を含む。
【０００８】
第２の態様では、本開示の実施例に係る、ネットワーク側に適用されるセルビーム失敗処理方法は、移動通信端末がターゲットセルに対して行われたビーム失敗の検出の結果を少なくとも含む検出結果に応じて送信した指示情報を受信することと、指示情報に基づいて、ビーム失敗処理を加速する第２動作を実行することと、を含む。
【０００９】
第３の態様では、本開示の実施例に係る移動通信端末は、ビーム失敗の検出を少なくとも含む検出動作をターゲットセルにおいて実行する検出モジュールと、検出結果に応じて、ビーム失敗処理を加速する第１動作をターゲットセルにおいて実行する第１実行モジュールと、を含む。
【００１０】
第４の態様では、本開示の実施例に係るネットワーク側装置は、移動通信端末がターゲットセルに対して行われたビーム失敗の検出の結果を少なくとも含む検出結果に応じて送信した指示情報を受信する受信モジュールと、指示情報に基づいて、ビーム失敗処理を加速する第２動作を実行する第２実行モジュールと、を含む。
【００１１】
第５の態様では、本開示の実施例に係る移動通信端末は、メモリと、プロセッサと、前記メモリに記憶されて前記プロセッサ上で実行可能で、前記プロセッサにより実行されると、第１の態様に記載のセルビーム失敗処理方法を実現するコンピュータプログラムと、を含む。
【００１２】
第６の態様では、本開示の実施例に係るネットワーク側装置は、メモリと、プロセッサと、トランシーバと、前記メモリに記憶されて前記プロセッサ上で実行可能で、前記プロセッサにより実行されると、第２の態様に記載のセルビーム失敗処理方法を実現するコンピュータプログラムと、を含む。
【００１３】
第７の態様では、本開示の実施例に係るコンピュータ可読記憶媒体には、プロセッサにより実行されると、第１の態様又は第２の態様に記載のセルビーム失敗処理方法を実現するコンピュータプログラムが記憶されている。
【００１４】
従来技術におけるビーム失敗検出プロセスにおいて、物理層は、一定の条件を満たしたとき、メディアアクセス制御（Ｍｅｄｉａ  Ａｃｃｅｓｓ  Ｃｏｎｔｒｏｌ、ＭＡＣ）層へ１つのビーム失敗インスタンスを指示し、そしてＭＡＣ層は、物理層により周期的に指示されたビーム失敗インスタンスをカウントすることでビーム失敗が生じるか否かを判定する。例えば、ＭＡＣ層において、タイマ及びカウンタを起動してビーム失敗の判定を実行する。タイマの計時が終了する前に１つのインスタンスが受信されると、カウンタに１を加算してタイマを再起動し、それ以外の場合、タイマの計時が終了する前に１つのインスタンスが受信されないと、カウンタをリセットする。カウンタが所定の回数に達する場合、ビーム失敗イベントが発生したと判定する。
【００１５】
このような、物理層が検出イベントを周期的に報告し、そしてＭＡＣ層がカウンタとタイマを採用して周期的に報告されたイベントを管理することによりビーム失敗イベントが発生したか否かを判定する方式は、失敗検出段階に長い時間がかかるため、ビームが失敗から回復する時間が長くなることを引き起こす。
【００１６】
これに対して、本開示の具体的な実施例では、ビーム失敗の検出を少なくとも含む検出動作をターゲットセルにおいて実行し、物理層の検出結果に応じて、ビーム失敗回復を直接的に開始すること、無線リンク失敗プロセスを直接的にトリガすること、失敗インスタンスの報告を直接的にトリガすること、ネットワーク側に報告することなどの、ビーム失敗処理を加速できる第１動作をターゲットセルにおいて実行する。このように、端末は、ターゲットセルにおいてビーム失敗が検出された場合、第１動作を直接的に実行することができ、できるだけ早くビーム失敗から回復することができる。
【図面の簡単な説明】
【００１７】
本開示の実施例の技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をすることなく、これらの図面に基づいて他の図面を得ることができる。
【００１８】
【図１】本開示の実施例に係るセルビーム失敗処理方法のフローチャートである。
【図２】本開示の実施例に係る別のセルビーム失敗処理方法のフローチャートである。
【図３】本開示の実施例に係る移動通信端末の構成図である。
【図４】本開示の実施例に係るネットワーク側装置の構成図である。
【図５】本開示の実施例に係る別の移動通信端末の構成図である。
【図６】本開示の実施例に係る別のネットワーク側装置の構成図である。
【発明を実施するための形態】
【００１９】
以下、本開示の実施例における図面を参照しながら、本開示の実施例における技術手段を明確かつ完全に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。明細書及び特許請求の範囲における「及び／又は」は、接続対象の少なくとも１つを表す。
【００２０】
図１を参照すると、図１は、本開示の実施例に係るセルビーム失敗処理方法のフローチャートであり、該方法は、移動通信端末に用いられ、図１に示すように、以下のステップ１０１〜ステップ１０２を含む。
【００２１】
ステップ１０１において、検出動作をターゲットセルにおいて実行する。
【００２２】
なお、上記移動通信端末は、携帯電話、タブレットパーソナルコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ、ＰＤＡと略称）、モバイルインターネット装置（Ｍｏｂｉｌｅ  Ｉｎｔｅｒｎｅｔ  Ｄｅｖｉｃｅ、ＭＩＤ）又はウェアラブル装置（Ｗｅａｒａｂｌｅ  Ｄｅｖｉｃｅ）などの端末側装置であってよく、本開示の実施例では、移動通信端末の具体的なタイプを限定しない。移動通信端末は、少なくとも１つのセルのカバレッジ内にあり、かつ少なくとも１つのセルとの接続を確立することができる。
【００２３】
本開示の実施例では、上記ターゲットセルは、以下のセルのうち１つであってよく、例えば、セカンダリセル（Ｓｅｃｏｎｄａｒｙ  Ｃｅｌｌ、ＳＣｅｌｌ）であってもよく、プライマリセルであってもよい。Ｓｃｅｌｌは、キャリアアグリゲーション（Ｃａｒｒｉｅｒ  Ａｇｇｒｅｇａｔｉｏｎ、ＣＡ）シナリオにおけるＳｃｅｌｌであってもよく、デュアルコネクティビティ（Ｄｕａｌ  Ｃｏｎｎｅｃｔｉｖｉｔｙ、ＤＣ）アーキテクチャにおけるマスタセルグループ（Ｍａｓｔｅｒ  Ｃｅｌｌ  Ｇｒｏｕｐ、ＭＣＧ）又はセカンダリセルグループ（Ｓｅｃｏｎｄａｒｙ  Ｃｅｌｌ  Ｇｒｏｕｐ、ＳＣＧ）内のＳｃｅｌｌであってもよい。また、上記プライマリセルは、ＣＡシナリオにおけるプライマリセル（Ｐｒｉｍａｒｙ  Ｃｅｌｌ、ＰＣｅｌｌ）であってもよく、ＤＣアーキテクチャにおけるＭＣＧ内のＰＣｅｌｌであってもよく、ＳＣＧ内のプライマリセカンダリセル（Ｐｒｉｍａｒｙ  Ｓｅｃｏｎｄａｒｙ  Ｃｅｌｌ、ＰｓＣｅｌｌ）であってもよく、スペシャルセル（Ｓｅｐｃｉａｌ  Ｃｅｌｌ、Ｓｐｃｅｌｌ）であってもよく、ＰＣｅｌｌ及びＰｓＣｅｌｌは、いずれもＳｐｃｅｌｌと呼ばれてもよい。また、Ｓｃｅｌｌとプライマリセルが同一の基地局に対応してもよく、いくつかのシナリオでは、Ｓｃｅｌｌとプライマリセルが異なる基地局に対応してもよいが、これは限定されない。
【００２４】
該ステップにおいて、上記検出動作は、ビーム失敗の検出を少なくとも含む。本開示の具体的な実施例に係るビーム失敗の検出は、従来技術における任意のビーム失敗検出方式を用いて行うことができ、また、本開示の具体的な実施例は、参照信号に基づいてビーム失敗の検出を行う新たな方式を提供し、以下のように説明する。
【００２５】
本開示の具体的な実施例では、上記ビーム失敗の検出は、ターゲットセル上でターゲット参照信号を検出することにより得られた測定性能情報に基づいて、ビーム失敗イベントが検出されたか否かを判定することであってよい。
【００２６】
上記測定性能情報は、ブロック誤り率（Ｂｌｏｃｋ  Ｅｒｒｏｒ  Ｒａｔｉｏ、ＢＬＥＲ）であってもよく、ターゲット参照信号を検出して得られたＢＬＥＲが所定の閾値よりも高い場合、ビーム失敗イベントが検出されたと判定する。例えば、ターゲットセル上で全ての検出可能な参照信号を検出し、かつ全てのターゲット参照信号を検出して得られた測定性能情報が要件を満たさない場合、ビーム失敗イベントが検出されたと判定することであってよい。又は、ターゲットセル上で全ての検出可能な参照信号を検出し、かつそのうちの所定数のターゲット参照信号を検出して得られた測定性能情報が要件を満たさない場合、ビーム失敗イベントが検出されたと判定することであってもよい。又は、ターゲットセルに対して設定された所定数の参照信号を検出し、かつ所定数の参照信号を検出して得られた測定性能情報が要件を満たさない場合、ビーム失敗イベントが検出されたと判定することであってもよい。
【００２７】
また、測定性能情報は、ＲＳＲＰ、ＲＳＲＱ、又はＳＩＮＲであってもよく、これらの測定性能が所定の閾値よりも低い場合、ビーム失敗イベントが検出されたと判定する。
【００２８】
なお、上記ターゲット参照信号は、ターゲットセルに対して設定されたビーム失敗の検出のための参照信号と、ターゲットセルに対して設定されたビーム失敗イベントのための参照信号と、ターゲットセルに対して設定されたビーム管理のための参照信号と、ターゲットセル上で検出可能な参照信号と、ターゲットセルに対して設定された所定数の参照信号と、のうち少なくとも１つを含む。
【００２９】
理解できるように、上記ターゲット参照信号が上記参照信号のうちいずれか１つである場合、該ターゲット参照信号の測定性能情報が要件を満たさないことがターゲットセル上で検出されると、ビーム失敗イベントが検出されたと判定する。ターゲットセル上で設定された上記ターゲット参照信号が上記参照信号のうち少なくとも２つの参照信号のセットである場合、例えば、上記ターゲット参照信号が、ターゲットセルに対して設定されたビーム失敗の検出のための参照信号と、ターゲットセルに対して設定されたビーム失敗イベントのための参照信号と、ターゲットセルに対して設定されたビーム管理のための参照信号とを含む場合、検出により得られた上記３つの参照信号の測定性能情報がいずれも要件を満たさないとき、ビーム失敗イベントが検出されたと判定することであってもよく、上記３つの参照信号のうちいずれか２つの測定性能情報が要件を満たさないとき、ビーム失敗イベントが検出されたと判定することであってもよい。本開示の実施例では、さらに参照信号の他の組み合わせ方式を含んでもよいが、ここでは説明を省略する。
【００３０】
ステップ１０２において、検出結果に応じて、ビーム失敗処理を加速する第１動作をターゲットセルにおいて実行する。
【００３１】
上記検出動作は、ビーム失敗の検出を少なくとも含み、すなわち、ビーム失敗の検出の検出結果に応じて、ビーム失敗処理を加速する第１動作をターゲットセルにおいて実行する。
【００３２】
また、本開示の具体的な実施例では、ビーム失敗の検出を少なくとも含む検出動作をターゲットセルにおいて実行し、物理層の検出結果に応じて、ビーム失敗回復を直接的に開始すること、無線リンク失敗プロセスを直接的にトリガすること、失敗インスタンスの報告を直接的にトリガすること、ネットワーク側に報告することなどの、ビーム失敗処理を加速できる第１動作をターゲットセルにおいて実行する。このように、端末は、ターゲットセルにおいてビーム失敗が検出された場合、第１動作を直接的に実行することができ、できるだけ早くビーム失敗から回復することができる。
【００３３】
本開示の上記実施例では、検出動作がビーム失敗の検出を含むことを例として説明したが、ビーム失敗が生じたとき、従来技術がビーム失敗回復のための動作オプションを提供したことを考慮するため、本開示の具体的な実施例では、ビーム失敗回復に成功できるか否かをさらに予測し、かつビーム失敗回復の成功率に基づいて、ビーム失敗処理を加速する第１動作を次のステップにおいて実行するか否かを判定する。
【００３４】
すなわち、本開示の実施例では、上記検出動作は、ビーム失敗回復条件の検出をさらに含み、上記ステップ１０２は、具体的には、ビーム失敗の検出によりビーム失敗イベントが検出され、かつビーム失敗回復条件が成立しない場合、ビーム失敗処理を加速する第１動作をターゲットセルにおいて実行することである。
【００３５】
すなわち、ビーム失敗の検出及びビーム失敗回復条件の検出を少なくとも含む検出動作をターゲットセルにおいて実行し、ビーム失敗イベントが検出された場合、ビーム失敗回復条件の検出を行い、ビーム失敗回復条件が成立しないことが検出された場合、すなわちビーム失敗回復を行う条件を満たさない場合、ビーム失敗処理を加速する第１動作をターゲットセルにおいて実行することであってよい。
【００３６】
本開示の具体的な実施例では、ビーム失敗回復条件が設定されており、該ビーム失敗回復条件の検出により後続の動作を決定する。該ビーム失敗回復条件は、ビーム失敗回復に成功できるか否かを予測するための条件であり、本開示の実施例では、上記ビーム失敗回復条件は、ターゲットセルにおいて利用可能な候補ビームがあるか否かと、ターゲットセルにおいてビーム失敗回復プロセスを実行するために利用可能なリソースがあるか否かと、検出されたビーム失敗イベントに対応するビーム失敗回復失敗イベントがターゲットセルにおいて発生したか否かと、のうち少なくとも１つを含む。
【００３７】
これらの条件について以下に具体的に説明する。
【００３８】
ビーム失敗回復に成功できる条件は、端末が要件を満たす新たなビームに切り替えることができることであり、ターゲットセルにおいて候補ビームが設定されないか、又は候補ビームが設定されるが、候補ビームの参照信号の測定性能が要件を満たさない場合、ビーム失敗回復プロセスを実行しても成功できないため、ターゲットセルにおいて利用可能な候補ビームがない場合、ビーム失敗回復条件が成立しないと考えることができる。
【００３９】
ビーム失敗回復を開始するには、一定のリソースが必要とされる。したがって、本開示の具体的な実施例では、該ビーム失敗回復条件は、ターゲットセルにおいてビーム失敗回復プロセスを実行するために利用可能なリソースがあるか否かであってもよく、ビーム失敗回復プロセスを実行するために利用可能なリソースがない場合、ビーム失敗回復条件が成立しないと考え、この場合にビーム失敗処理を加速する第１動作を実行する必要がある。
【００４０】
現在、関連仕様に従って、ビーム失敗回復は、一定のプロセスによって実現することができ、例えば、現在、非競合ベースランダムアクセス（Ｃｏｎｔｅｎｔｉｏｎ−Ｆｒｅｅ  Ｒａｎｄｏｍ  Ａｃｃｅｓｓ、ＣＦＲＡ）プロセス又は競合ベースランダムアクセス（Ｃｏｎｔｅｎｔｉｏｎ  Ｂａｓｅｄ  Ｒａｎｄｏｍ  Ａｃｃｅｓｓ、ＣＢＲＡ）プロセスによってビーム失敗回復を実現することができる。
【００４１】
したがって、本開示の実施例では、上記ターゲットセルにおいてビーム失敗回復プロセスを実行するために利用可能なリソースがあるか否かは、具体的には、上記ターゲットセルにおいて非競合ベースランダムアクセスＣＦＲＡプロセスのための第１リソースが設定されるか否かと、上記ターゲットセルにおいて、ビーム失敗回復をサポートするＣＦＲＡプロセスのためのリソースである第２リソースが設定されるか否かと、上記第２リソース上の参照信号が測定性能要件を満たすか否かと、上記ターゲットセルにおいて競合ベースランダムアクセスＣＢＲＡプロセスのための第３リソースが設定されるか否かと、上記ターゲットセルにおいて、ビーム失敗回復をサポートするＣＢＲＡプロセスにも利用可能なリソースである第４リソースが設定されるか否かと、上記第４リソース上の参照信号が測定性能要件を満たすか否かと、のうち少なくとも１つを含む。
【００４２】
理解できるように、ターゲットセルにおいて非競合ベースランダムアクセス（Ｃｏｎｔｅｎｔｉｏｎ−Ｆｒｅｅ  Ｒａｎｄｏｍ  Ａｃｃｅｓｓ、ＣＦＲＡ）プロセスのための第１リソースが設定されない場合、又は、ターゲットセルにおいてビーム失敗回復をサポートするＣＦＲＡプロセスのための第２リソースが設定されない（すなわち、ＣＦＲＡプロセスのためのリソースが設定されるが、ＣＦＲＡがビーム失敗回復をサポートするように設定されない）場合、又は、ビーム失敗回復をサポートするＣＦＲＡプロセスのための第２リソース上の参照信号の測定値が測定性能要件を満たさない（すなわち、ＣＦＲＡプロセスのためのリソースが設定され、かつＣＦＲＡがビーム失敗回復をサポートするように設定されるが、リソース伝送性能がプロセスの成功をサポートするのに十分ではない）場合、又は、ターゲットセルにおいて競合ベースランダムアクセス（Ｃｏｎｔｅｎｔｉｏｎ  Ｂａｓｅｄ  Ｒａｎｄｏｍ  Ａｃｃｅｓｓ、ＣＢＲＡ）プロセスのための第３リソースが設定されない場合、又は、ターゲットセルにおいてビーム失敗回復をサポートするＣＢＲＡプロセスのための第４リソースが設定されない（すなわち、ＣＢＲＡプロセスのためのリソースが設定されるが、ＣＢＲＡがビーム失敗回復をサポートするように設定されない）場合、又は、ビーム失敗回復をサポートするＣＢＲＡプロセスのための第４リソース上の参照信号の測定値が測定性能要件を満たさない（すなわち、ＣＢＲＡプロセスのためのリソースが設定され、かつＣＦＲＡがビーム失敗回復をサポートするように設定されるが、リソース伝送性能がプロセスの成功をサポートするのに十分ではない）場合のこれらの条件のうち少なくとも１つを満たすと、上記ターゲットセルにおいてビーム失敗回復プロセスを実行するために利用可能なリソースがなく、すなわち、ビーム失敗回復条件が成立しないと判定する。
【００４３】
ビーム失敗回復をサポートするＣＦＲＡプロセスのための第２リソース上の参照信号は、同期信号ブロック（Ｓｙｎｃｈｒｏｎｉｚａｔｉｏｎ  Ｓｉｇｎａｌ  Ｂｌｏｃｋ、ＳＳＢ）、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭＲＳ）、セル専用の参照信号（Ｃｅｌｌ  Ｒｅｆｅｒｅｎｃｅ  Ｓｉｇｎａｌ、ＣＲＳ）などを含んでよく、上記参照信号の測定値は、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、参照信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、及びＢＬＥＲなどであってよい。
【００４４】
異なる測定値について、測定性能要件を満たさないことに関する定義が異なり、例えば、ＢＬＥＲについて、測定値が所定の閾値よりも大きい場合、測定性能要件を満たさないと考え、ＲＳＲＰなどについて、測定値が所定の閾値よりも小さい場合、測定性能要件を満たさないと考える。
【００４５】
また、ビーム失敗回復をサポートするＣＢＲＡプロセスのための第４リソース上の参照信号は、ＳＳＢ、ＣＳＩ−ＲＳ、ＤＭＲＳ、ＣＲＳなどを含んでもよく、上記参照信号の測定値は、ＲＳＲＱ、ＲＳＲＰ、ＳＩＮＲなどを含んでよい。
【００４６】
また、該ビーム失敗回復条件は、検出されたビーム失敗イベントに対応するビーム失敗回復失敗イベントがターゲットセルにおいて発生したか否かであってもよく、ターゲットセルにおいてビーム失敗イベントが検出され、かつ該ビーム失敗イベントに対して行われたビーム失敗回復に失敗してビーム失敗回復失敗イベントが発生した場合、ビーム失敗回復に成功できないことを示すため、ビーム失敗回復条件が成立しないと判定し、ビーム失敗処理を加速する第１動作を実行することができる。
【００４７】
本開示の実施例では、検出動作をターゲットセルにおいて実行し、ビーム失敗イベントが検出され、かつビーム失敗回復条件が成立しない場合、ビーム失敗処理を加速する第１動作をターゲットセルにおいて実行し、上記第１動作は、端末のビーム失敗回復を加速できる任意の動作であってよく、例えば、ビーム失敗回復プロセスを直接的に開始する動作と、無線リンク失敗ＲＬＦを直接的にトリガする動作と、上位層ビーム失敗サンプルを指示する動作と、ネットワーク側に指示情報を報告する動作と、のうち少なくとも１つを含む。
【００４８】
上記ビーム失敗回復プロセスを直接的に開始することは、ＭＡＣ層に報告してからＭＡＣ層によりタイマとカウンタを採用してビーム失敗イベントを決定することではなく、Ｓｃｅｌｌ、Ｐｃｅｌｌ、Ｐｓｃｅｌｌ、又はＳｐｃｅｌｌ上でＣＢＲＡプロセスを直接的に実行することであってよいため、端末のビーム失敗回復を加速することができる。
【００４９】
また、無線リンク失敗（Ｒａｄｉｏ  Ｌｉｎｋ  Ｆａｉｌｕｒｅ、ＲＬＦ）を直接的にトリガすることにより、又は上位層ビーム失敗サンプルを指示することにより、端末のビーム失敗回復を加速することであってもよい。
【００５０】
又は、さらに、ネットワーク側に指示情報を報告して、ネットワーク側が、具体的に報告された情報に基づいて、どのような行動をとるかを決定することにより、ビーム失敗からの端末の回復を加速することであってもよい。
【００５１】
なお、上記指示情報は、メディアアクセス制御用制御要素（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）又は無線リソース制御（Ｒａｄｉｏ  Ｒｅｓｏｕｒｃｅ  Ｃｏｎｔｒｏｌ、ＲＲＣ）メッセージにより搬送されて報告されたものであってよい。また、上記指示情報は、Ｓｃｅｌｌ、Ｐｃｅｌｌ、Ｐｓｃｅｌｌ又はＳｐｃｅｌｌによりネットワーク側装置に報告されたものであってよく、ネットワーク側装置に指示情報を報告するＳｃｅｌｌ、Ｐｃｅｌｌ、Ｐｓｃｅｌｌ又はＳｐｃｅｌｌは、ビーム失敗の発生が前に検出された上記ターゲットセルと同一のセルであってもよく、ビーム失敗が発生した上記ターゲットセルとは異なるセルであってもよい。
【００５２】
本開示の具体的な実施例では、ネットワーク側に指示情報を報告することにより、ネットワーク側は、報告された指示情報に基づいて対応する処理をできるだけ早く行い、例えば、プライマリセカンダリセルＰｓｃｅｌｌ又はセカンダリセルＳｃｅｌｌの変更、また例えば、プライマリセカンダリセルＰｓｃｅｌｌ又はセカンダリセルＳｃｅｌｌの追加、また例えば、セル切り替えなどを行うことができ、端末の電力量を節約すると共に、端末にできるだけ早くビーム失敗から回復させることができる。
【００５３】
本開示の実施例では、上記指示情報は、具体的な失敗情報及び／又は失敗イベントを指示するものであってよく、例えば、指示情報は、セカンダリセルＳｃｅｌｌ、プライマリセルＰｃｅｌｌ、プライマリセカンダリセルＰｓｃｅｌｌ、及び／又はスペシャルセルＳｐｃｅｌｌにおけるビーム失敗を指示する第１情報と、測定性能要件を満たさないターゲット参照信号の数及び／又は測定性能情報を指示する第２情報と、ターゲットセルにおいて利用可能な候補ビーム及び／又は候補ビームの参照信号の測定性能情報がないことを指示する第３情報と、ターゲットセルにおいてビーム失敗回復プロセスを実行するために利用可能なリソースがないことを指示する第４情報と、参照信号の測定性能情報を指示する第５情報と、上記移動通信端末が選択した代替ビームを指示する第６情報と、所定数の参照信号に失敗したイベントを指示する第８情報と、所定の参照信号及び／又は候補ビームに対応する参照信号に失敗したイベントを指示する第９情報と、設定された追加の参照信号を表示することを指示する第１０情報と、ＣＢＲＡのためのリソースの参照信号の測定性能情報を指示する第１１情報と、参照信号の測定性能情報を指示する第１２情報と、のうち少なくとも１つを含んでよく、参照信号は、候補ビームの参照信号、全てのビームの参照信号、所定数の参照信号、所定のビームの参照信号のうち少なくとも１つを含む。
【００５４】
本開示の実施例では、ビーム失敗の検出を少なくとも含む検出動作をターゲットセルにおいて実行し、検出結果に応じて、ビーム失敗処理を加速する第１動作をターゲットセルにおいて実行する。このように、ターゲットセルにおいてビーム失敗が検出された場合、ビーム失敗回復プロセスを直接的に開始するか又はネットワーク側に指示情報を報告するなどの第１動作により、ビーム失敗が生じたターゲットセルに対してビーム失敗処理の加速を実行して、ビーム失敗回復を迅速に完了し、移動通信端末のセルビーム失敗処理能力を向上させることができる。
【００５５】
図２を参照すると、本開示の実施例に係る、ネットワーク側に適用されるセルビーム失敗処理方法は、図２に示すように、以下のステップ２０１〜ステップ２０２を含む。
【００５６】
ステップ２０１において、移動通信端末が検出結果に応じて送信した指示情報を受信する。
【００５７】
本開示の実施例では、上記検出結果は、ターゲットセルに対して行われたビーム失敗の検出の結果を少なくとも含む。すなわち、移動通信端末は、ターゲットセルにおけるビーム失敗の検出に対する検出動作を実行し、かつビーム失敗の検出の検出結果に応じてネットワーク側装置に指示情報を送信する。移動通信端末が実行するターゲットセルにおけるビーム失敗の検出に対する検出動作の具体的な実施形態は、図１に示す実施例のステップ１０１を参照して実施することができ、重複を避けるために、ここでは説明を省略する。
【００５８】
なお、上記検出結果は、ターゲットセルに対して行われたビーム失敗回復条件の検出の結果をさらに含む。すなわち、移動通信端末は、ビーム失敗の検出及びビーム失敗回復条件の検出を少なくとも含む検出動作をターゲットセルにおいて実行し、ビーム失敗イベントが検出され、かつビーム失敗回復条件が成立しないことが検出された場合、すなわち、ビーム失敗回復を行う条件を満たさない場合、移動通信端末が、ビーム失敗を指示する指示情報をネットワーク側装置に送信して、ネットワーク側装置が、移動通信端末によりビーム失敗が検出された後に報告された指示情報を受信することができることにより、ネットワーク側装置が上記ビーム失敗に対する対策を講じることを容易にすることができる。上記移動通信端末がターゲットセルに対して行ったビーム失敗回復条件の検出と、移動通信端末が検出結果に応じて報告した指示情報との具体的な実施形態は、図１に示す実施例のステップ１０２を参照して実施することができ、重複を避けるために、ここでは説明を省略する。
【００５９】
ステップ２０２において、指示情報に基づいて、ビーム失敗処理を加速する第２動作を実行する。
【００６０】
理解できるように、ネットワーク側装置は、移動通信端末が送信した、ビーム失敗を指示する指示情報を受信する場合、上記指示情報に基づいて、ビーム失敗処理を加速する第２動作を実行する。具体的には、上記第２動作は、セル再確立を開始する動作と、セル切り替えを開始する動作と、プライマリセカンダリセルＰｓｃｅｌｌ又はセカンダリセルＳｃｅｌｌの失敗後の関連プロセスを開始する動作と、プライマリセカンダリセルＰｓｃｅｌｌ又はセカンダリセルＳｃｅｌｌの変更プロセスを開始する動作と、プライマリセカンダリセルＰｓｃｅｌｌ又はセカンダリセルＳｃｅｌｌのセル解放プロセスを開始する動作と、プライマリセカンダリセルＰｓｃｅｌｌ又はセカンダリセルＳｃｅｌｌのセル追加プロセスを開始する動作と、ターゲットセルに利用可能な参照信号をアクティブにするプロセスを開始する動作と、セカンダリセルＳｃｅｌｌ、プライマリセルＰｃｅｌｌ、プライマリセカンダリセルＰｓｃｅｌｌ、及び／又はスペシャルセルＳｐｃｅｌｌ上の利用可能な参照信号を上記移動通信端末へ指示する動作と、セカンダリセルＳｃｅｌｌ、プライマリセルＰｃｅｌｌ、プライマリセカンダリセルＰｓｃｅｌｌ及び／又はスペシャルセルＳｐｃｅｌｌにより新たな利用可能な参照信号を上記移動通信端末へ指示する動作と、セカンダリセルＳｃｅｌｌ、プライマリセルＰｃｅｌｌ、プライマリセカンダリセルＰｓｃｅｌｌ及び／又はスペシャルセルＳｐｃｅｌｌ上の新たな利用可能な参照信号により上記移動通信端末に応答する動作と、のうち少なくとも１つを含む。
【００６１】
セル再確立を開始することは、セルサーチを行い、セルサーチ結果に基づいてセル再確立を行うことであってよく、上記ターゲットセルに対してセル再確立を行うことであってもよく、ターゲットセルの隣接セル、又は所定の基準（例えば、Ｓ基準）を満たすと検出された任意のセルに対してセル再確立を行うことであってもよい。また、セル切り替えを開始することは、所定の基準（例えば、Ｒ基準）に従ってセル切り替えを行うことであってよく、例えば、品質の高さによって候補セルに対してＲ基準に従う順序付けを行い、最適のセルを選択して切り替えを行うことにより、移動通信端末をビーム失敗が検出されたターゲットセルから候補セルに切り替え、移動通信端末の無線通信接続を確保することであってよい。
【００６２】
また、ネットワーク側装置は、移動通信端末が送信した指示情報を受信したことに応じて、Ｐｓｃｅｌｌ及び／又はＳｃｅｌｌの失敗後の関連プロセスを開始し、例えば、上記Ｐｓｃｅｌｌに対するビーム失敗回復を開始するか、又は上記Ｓｃｅｌｌに対するビーム失敗回復を開始するものであってよい。又は、ネットワーク側装置は、上記指示情報に基づいて、Ｐｓｃｅｌｌ及び／又はＳｃｅｌｌの変更プロセスを開始し、例えば、ビーム失敗が生じたターゲットセルＳｃｅｌｌが検出された場合、該Ｓｃｅｌｌを他の候補セルに変更するものであってよい。又は、ネットワーク側装置は、上記指示情報に基づいて、Ｐｓｃｅｌｌ及び／又はＳｃｅｌｌのセル解放プロセスを開始するか、又はＰｓｃｅｌｌ及び／又はＳｃｅｌｌのセル追加プロセスを開始するものであってよい。
【００６３】
また、移動通信端末が送信した指示情報は、ターゲットセルにおいて利用可能な候補ビームの参照信号の測定性能情報がないことを指示するものを含む可能性があり、上記ネットワーク側装置は、受信した該指示情報に基づいて、ターゲットセルに利用可能な参照信号をアクティブにするプロセスを開始することにより、ターゲットセルに利用可能な参照信号をアクティブにし、ターゲットセルがビーム失敗回復を実行することを容易にするものであってよい。
【００６４】
また、上記ネットワーク側装置は、受信した指示情報に基づいて、Ｐｃｅｌｌ、Ｐｓｃｅｌｌ、Ｓｐｃｅｌｌ及び／又はＳｃｅｌｌ上の利用可能な参照信号を上記移動通信端末へ指示することにより、移動通信端末がターゲットセルとの通信接続を実現することを容易にするものであってもよく、Ｐｃｅｌｌ、Ｐｓｃｅｌｌ、Ｓｐｃｅｌｌ及び／又はＳｃｅｌｌにより新たな利用可能な参照信号を上記移動通信端末へ指示することにより、又はＰｃｅｌｌ、Ｐｓｃｅｌｌ、Ｓｐｃｅｌｌ及び／又はＳｃｅｌｌ上の新たな利用可能な参照信号により上記移動通信端末に応答することにより、移動通信端末が新たな利用可能な参照信号に基づいて対応するビームをアクティブにし、ターゲットセルとの通信接続を実現することを容易にするものであってもよい。
【００６５】
本開示の実施例に係る技術手段では、ネットワーク側装置は、移動通信端末がターゲットセルに対して行われたビーム失敗の検出の結果を少なくとも含む検出結果に応じて送信した指示情報を受信し、指示情報に基づいて、ビーム失敗処理を加速する第２動作を実行する。このように、ネットワーク側装置は、受信した指示情報に基づいて、ビーム失敗が生じたターゲットセルに対して、ビーム失敗処理を加速する動作を実行することにより、ビーム失敗回復を迅速に完了し、セルビーム失敗処理能力を向上させ、移動通信端末の通信接続の安定を確保することができる。
【００６６】
図３を参照すると、図３は、本開示の実施例に係る移動通信端末の構成図であり、図３に示すように、上記移動通信端末３００は、ビーム失敗の検出を少なくとも含む検出動作をターゲットセルにおいて実行する検出モジュール３０１と、検出結果に応じて、ビーム失敗処理を加速する第１動作をターゲットセルにおいて実行する第１実行モジュール３０２と、を含む。
【００６７】
好ましくは、上記検出動作は、ビーム失敗回復条件の検出をさらに含み、上記第１実行モジュール３０２は、さらに、ビーム失敗の検出によりビーム失敗イベントが検出され、かつビーム失敗回復条件が成立しない場合、ビーム失敗処理を加速する第１動作をターゲットセルにおいて実行する。
【００６８】
好ましくは、上記ビーム失敗回復条件は、ターゲットセルにおいて利用可能な候補ビームがあるか否かと、ターゲットセルにおいてビーム失敗回復プロセスを実行するために利用可能なリソースがあるか否かと、検出されたビーム失敗イベントに対応するビーム失敗回復失敗イベントがターゲットセルにおいて発生したか否かと、のうち少なくとも１つを含む。
【００６９】
好ましくは、上記ターゲットセルにおいてビーム失敗回復プロセスを実行するために利用可能なリソースがあるか否かは、具体的には、上記ターゲットセルにおいて非競合ベースランダムアクセスＣＦＲＡプロセスのための第１リソースが設定されるか否かと、上記ターゲットセルにおいて、ビーム失敗回復をサポートするＣＦＲＡプロセスのためのリソースである第２リソースが設定されるか否かと、上記第２リソース上の参照信号が測定性能要件を満たすか否かと、上記ターゲットセルに競合ベースランダムアクセスＣＢＲＡプロセスのための第３リソースが設定されるか否かと、上記ターゲットセルにおいて、ビーム失敗回復をサポートするＣＢＲＡプロセスにも利用可能なリソースである第４リソースが設定されるか否かと、上記第４リソース上の参照信号が測定性能要件を満たすか否かと、のうち少なくとも１つを含む。
【００７０】
好ましくは、上記ビーム失敗の検出は、具体的には、ターゲットセル上でターゲット参照信号を検出して得られた測定性能情報に基づいて、ビーム失敗イベントが検出されたか否かを判定することである。
【００７１】
好ましくは、上記ターゲット参照信号は、ターゲットセルに対して設定されたビーム失敗の検出のための参照信号と、ターゲットセルに対して設定されたビーム失敗イベントのための参照信号と、ターゲットセルに対して設定されたビーム管理のための参照信号と、ターゲットセル上で検出可能な参照信号と、ターゲットセルに対して設定された所定数の参照信号と、のうち少なくとも１つを含む。
【００７２】
好ましくは、上記第１動作は、ビーム失敗回復プロセスを直接的に開始する動作と、無線リンク失敗ＲＬＦを直接的にトリガする動作と、上位層ビーム失敗サンプルを指示する動作と、ネットワーク側に指示情報を報告する動作と、のうち少なくとも１つを含む。
【００７３】
好ましくは、上記指示情報は、ＭＡＣ  ＣＥ、ＰＵＣＣＨ又はＲＲＣメッセージにより搬送され、又は上記指示情報は、Ｓｃｅｌｌ、Ｐｃｅｌｌ、Ｐｓｃｅｌｌ又はＳｐｃｅｌｌにより報告される。
【００７４】
好ましくは、上記指示情報は、Ｓｃｅｌｌ、Ｐｃｅｌｌ、Ｐｓｃｅｌｌ、及び／又はＳｐｃｅｌｌにおけるビーム失敗を指示する第１情報と、測定性能要件を満たさないターゲット参照信号の数及び／又は測定性能情報を指示する第２情報と、ターゲットセルにおいて利用可能な候補ビーム及び／又は候補ビームの参照信号の測定性能情報がないことを指示する第３情報と、ターゲットセルにおいてビーム失敗回復プロセスを実行するために利用可能なリソースがないことを指示する第４情報と、参照信号の測定性能情報を指示する第５情報と、上記移動通信端末が選択した代替ビームを指示する第６情報と、所定数の参照信号に失敗したイベントを指示する第８情報と、所定の参照信号及び／又は候補ビームに対応する参照信号に失敗したイベントを指示する第９情報と、設定された追加の参照信号を表示することを指示する第１０情報と、ＣＢＲＡのためのリソースの参照信号の測定性能情報を指示する第１１情報と、参照信号の測定性能情報を指示する第１２情報と、のうち少なくとも１つを含み、参照信号は、候補ビームの参照信号、全てのビームの参照信号、所定数の参照信号、所定のビームの参照信号のうち少なくとも１つを含む。
【００７５】
なお、移動通信端末３００は、図１に示すセルビーム失敗処理方法の実施例の各プロセスを実現し、かつ同じ技術的効果を達成することができ、重複を避けるために、ここでは説明を省略する。
【００７６】
本開示の実施例では、移動通信端末３００は、ビーム失敗の検出を少なくとも含む検出動作をターゲットセルにおいて実行し、検出結果に応じて、ビーム失敗処理を加速する第１動作をターゲットセルにおいて実行する。このように、ターゲットセルにおいてビーム失敗が検出された場合、ビーム失敗回復プロセスを直接的に開始するか又はネットワーク側に指示情報を報告するなどの第１動作により、ビーム失敗が生じたターゲットセルに対してビーム失敗処理の加速を実行して、ビーム失敗回復を迅速に完了し、移動通信端末３００のセルビーム失敗処理能力を向上させることができる。
【００７７】
図４を参照すると、図４は、本開示の実施例に係るネットワーク側装置の構成図であり、図４に示すように、上記ネットワーク側装置４００は、移動通信端末がターゲットセルに対して行われたビーム失敗の検出の結果を少なくとも含む検出結果に応じて送信した指示情報を受信する受信モジュール４０１と、指示情報に基づいて、ビーム失敗処理を加速する第２動作を実行する第２実行モジュール４０２と、を含む。
【００７８】
好ましくは、上記検出結果は、ターゲットセルに対して行われたビーム失敗回復条件の検出の結果をさらに含む。
【００７９】
好ましくは、上記第２動作は、セル再確立を開始する動作と、セル切り替えを開始する動作と、Ｐｓｃｅｌｌ及び／又はＳｃｅｌｌの失敗後の関連プロセスを開始する動作と、Ｐｓｃｅｌｌ及び／又はＳｃｅｌｌの変更プロセスを開始する動作と、Ｐｓｃｅｌｌ及び／又はＳｃｅｌｌのセル解放プロセスを開始する動作と、Ｐｓｃｅｌｌ及び／又はＳｃｅｌｌのセル追加プロセスを開始する動作と、ターゲットセルに利用可能な参照信号をアクティブにするプロセスを開始する動作と、Ｐｃｅｌｌ、Ｐｓｃｅｌｌ、Ｓｐｃｅｌｌ及び／又はＳｃｅｌｌ上の利用可能な参照信号を上記移動通信端末へ指示する動作と、Ｐｃｅｌｌ、Ｐｓｃｅｌｌ、Ｓｐｃｅｌｌ及び／又はＳｃｅｌｌにより新たな利用可能な参照信号を上記移動通信端末へ指示する動作と、Ｐｃｅｌｌ、Ｐｓｃｅｌｌ、Ｓｐｃｅｌｌ及び／又はＳｃｅｌｌ上の新たな利用可能な参照信号により上記移動通信端末に応答する動作と、のうち少なくとも１つを含む。
【００８０】
なお、ネットワーク側装置４００は、図２に示すセルビーム失敗処理方法の実施例の各プロセスを実現し、かつ同じ技術的効果を達成することができ、重複を避けるために、ここでは説明を省略する。
【００８１】
本開示の実施例では、ネットワーク側装置４００は、移動通信端末がターゲットセルに対して行われたビーム失敗の検出の結果を少なくとも含む検出結果に応じて送信した指示情報を受信し、指示情報に基づいて、ビーム失敗処理を加速する第２動作を実行する。このように、ネットワーク側装置４００は、受信した指示情報に基づいて、ビーム失敗が生じたターゲットセルに対して、ビーム失敗処理を加速する動作を実行することにより、ビーム失敗回復を迅速に完了し、セルビーム失敗処理能力を向上させ、移動通信端末の通信接続の安定を確保することができる。
【００８２】
図５を参照すると、図５は、本開示の実施例を実現する別の移動通信端末の構成図であり、移動通信端末５００は、図１に示すセルビーム失敗処理方法の実施例の各プロセスを実現し、かつ同じ技術的効果を達成することができる。図５に示すように、移動通信端末５００は、無線周波数ユニット５０１、ネットワークモジュール５０２、オーディオ出力ユニット５０３、入力ユニット５０４、センサ５０５、表示ユニット５０６、ユーザ入力ユニット５０７、インタフェースユニット５０８、メモリ５０９、プロセッサ５１０、及び電源５１１などの部品を含むが、これらに限定されない。当業者が理解できるように、図５に示す移動通信端末の構成は、移動通信端末を限定するものではなく、移動通信端末は、図示より多いか又は少ない部品を含んでもよく、一部の部品を組み合わせたり、異なる部品を配置したりしてもよい。本開示の実施例では、移動通信端末は、携帯電話、タブレットパーソナルコンピュータ、ノートパソコン、パームトップコンピュータ、車載端末、ウェアラブル装置及び歩数計などを含むが、これらに限定されない。
【００８３】
プロセッサ５１０は、ビーム失敗の検出を少なくとも含む検出動作をターゲットセルにおいて実行し、検出結果に応じて、ビーム失敗処理を加速する第１動作をターゲットセルにおいて実行する。
【００８４】
上記検出動作は、ビーム失敗回復条件の検出をさらに含み、上記プロセッサ５１０は、さらに、ビーム失敗の検出によりビーム失敗イベントが検出され、かつビーム失敗回復条件が成立しない場合、ビーム失敗処理を加速する第１動作をターゲットセルにおいて実行する。
【００８５】
好ましくは、上記ビーム失敗回復条件は、ターゲットセルにおいて利用可能な候補ビームがあるか否かと、ターゲットセルにおいてビーム失敗回復プロセスを実行するために利用可能なリソースがあるか否かと、検出されたビーム失敗イベントに対応するビーム失敗回復失敗イベントがターゲットセルにおいて発生したか否かと、のうち少なくとも１つを含む。
【００８６】
好ましくは、上記ターゲットセルにおいてビーム失敗回復プロセスを実行するために利用可能なリソースがあるか否かは、具体的には、上記ターゲットセルにおいて非競合ベースランダムアクセスＣＦＲＡプロセスのための第１リソースが設定されるか否かと、上記ターゲットセルにおいて、ビーム失敗回復をサポートするＣＦＲＡプロセスのためのリソースである第２リソースが設定されるか否かと、上記第２リソース上の参照信号が測定性能要件を満たすか否かと、上記ターゲットセルにおいて競合ベースランダムアクセスＣＢＲＡプロセスのための第３リソースが設定されるか否かと、上記ターゲットセルにおいて、ビーム失敗回復をサポートするＣＢＲＡプロセスにも利用可能なリソースである第４リソースが設定されるか否かと、上記第４リソース上の参照信号が測定性能要件を満たすか否かと、のうち少なくとも１つを含む。
【００８７】
好ましくは、上記ビーム失敗の検出は、具体的には、ターゲットセル上でターゲット参照信号を検出して得られた測定性能情報に基づいて、ビーム失敗イベントが検出されたか否かを判定することである。
【００８８】
好ましくは、上記ターゲット参照信号は、ターゲットセルに対して設定されたビーム失敗の検出のための参照信号と、ターゲットセルに対して設定されたビーム失敗イベントのための参照信号と、ターゲットセルに対して設定されたビーム管理のための参照信号と、ターゲットセル上で検出可能な参照信号と、ターゲットセルに対して設定された所定数の参照信号と、のうち少なくとも１つを含む。
【００８９】
好ましくは、上記第１動作は、ビーム失敗回復プロセスを直接的に開始する動作と、無線リンク失敗ＲＬＦを直接的にトリガする動作と、上位層ビーム失敗サンプルを指示する動作と、ネットワーク側に指示情報を報告する動作と、のうち少なくとも１つを含む。
【００９０】
好ましくは、上記指示情報は、ＭＡＣ  ＣＥ、ＰＵＣＣＨ又はＲＲＣメッセージにより搬送され、又は上記指示情報は、Ｓｃｅｌｌ、Ｐｃｅｌｌ、Ｐｓｃｅｌｌ又はＳｐｃｅｌｌにより報告される。
【００９１】
好ましくは、上記指示情報は、Ｓｃｅｌｌ、Ｐｃｅｌｌ、Ｐｓｃｅｌｌ、及び／又はＳｐｃｅｌｌにおけるビーム失敗を指示する第１情報と、測定性能要件を満たさないターゲット参照信号の数及び／又は測定性能情報を指示する第２情報と、ターゲットセルにおいて利用可能な候補ビーム及び／又は候補ビームの参照信号の測定性能情報がないことを指示する第３情報と、ターゲットセルにおいてビーム失敗回復プロセスを実行するために利用可能なリソースがないことを指示する第４情報と、参照信号の測定性能情報を指示する第５情報と、上記移動通信端末が選択した代替ビームを指示する第６情報と、所定数の参照信号に失敗したイベントを指示する第８情報と、所定の参照信号及び／又は候補ビームに対応する参照信号に失敗したイベントを指示する第９情報と、設定された追加の参照信号を表示することを指示する第１０情報と、ＣＢＲＡのためのリソースの参照信号の測定性能情報を指示する第１１情報と、参照信号の測定性能情報を指示する第１２情報と、のうち少なくとも１つを含み、参照信号は、候補ビームの参照信号、全てのビームの参照信号、所定数の参照信号、所定のビームの参照信号のうち少なくとも１つを含む。
【００９２】
本開示の実施例では、移動通信端末５００は、ビーム失敗の検出を少なくとも含む検出動作をターゲットセルにおいて実行し、検出結果に応じて、ビーム失敗処理を加速する第１動作をターゲットセルにおいて実行する。このように、ターゲットセルにおいてビーム失敗が検出された場合、ビーム失敗回復プロセスを直接的に開始するか又はネットワーク側に指示情報を報告するなどの第１動作により、ビーム失敗が生じたターゲットセルに対してビーム失敗処理の加速を実行して、ビーム失敗回復を迅速に完了し、移動通信端末５００のセルビーム失敗処理能力を向上させることができる。
【００９３】
理解すべきこととして、本開示の実施例では、無線周波数ユニット５０１は、情報の送受信、又は通話中の信号の送受信に用いられてよく、具体的には、基地局からのダウンリンクデータを受信した後、プロセッサ５１０に処理させ、また、アップリンクデータを基地局に送信する。一般的に、無線周波数ユニット５０１は、アンテナ、少なくとも１つの増幅器、トランシーバ、カプラ、低雑音増幅器、デュプレクサなどを含むが、これらに限定されない。また、無線周波数ユニット５０１は、さらに、無線通信システムによりネットワーク及び他の装置と通信することができる。
【００９４】
移動通信端末５００は、ネットワークモジュール５０２によりユーザに無線のブロードバンドインターネットアクセスを提供して、例えばユーザによる電子メールの送受信、ウェブページの閲覧及びストリーミングメディアへのアクセスなどを支援する。
【００９５】
オーディオ出力ユニット５０３は、無線周波数ユニット５０１又はネットワークモジュール５０２によって受信されるか又はメモリ５０９に記憶されるオーディオデータを、オーディオ信号に変換して音声として出力することができる。また、オーディオ出力ユニット５０３は、移動通信端末５００によって実行される特定の機能に関連するオーディオ出力（例えば、呼信号受信音、メッセージ着信音など）をさらに提供することができる。オーディオ出力ユニット５０３は、スピーカ、ブザー及び受話器などを含む。
【００９６】
入力ユニット５０４は、オーディオ又はビデオ信号を受信する。入力ユニット５０４は、グラフィック処理ユニット（Ｇｒａｐｈｉｃｓ  Ｐｒｏｃｅｓｓｉｎｇ  Ｕｎｉｔ、ＧＰＵ）５０４１及びマイクロフォン５０４２を含んでよく、グラフィック処理ユニット５０４１は、動画撮影モード又は画像撮影モードで撮影装置（例えば、カメラ）によって取得された静止画像又はビデオの画像データを処理する。処理後の画像フレームは、表示ユニット５０６に表示することができる。グラフィック処理ユニット５０４１によって処理された画像フレームは、メモリ５０９（又は他のコンピュータ可読記憶媒体）に記憶されてもよく、無線周波数ユニット５０１又はネットワークモジュール５０２によって送信されてもよい。マイクロフォン５０４２は、音声を受信し、かつこのような音声をオーディオデータに処理することができる。処理後のオーディオデータは、電話通話モードで無線周波数ユニット５０１によって移動通信基地局に送信可能なフォーマットに変換されて出力することができる。
【００９７】
移動通信端末５００は、光センサ、動きセンサ及び他のセンサなどの少なくとも１種のセンサ５０５をさらに含む。具体的には、光センサは、環境光線の明るさに応じて表示パネル５０５１の輝度を調節することができる環境光センサと、移動通信端末５００が耳元に移動するときに、表示パネル５０５１及び／又はバックライトをオフにすることができる近接センサとを含む。動きセンサの１種として、加速度センサは、各方向（一般的に３軸）の加速度の大きさを検出することができ、静止時に重力の大きさ及び方向を検出することができ、移動通信端末の姿勢の識別（例えば、縦向き／横向きの切替、ゲーム関連、磁力計の姿勢較正）、振動識別に関連する機能（例えば、歩数計、タッピング）などに用いられてよく、センサ５０５は、指紋センサ、圧力センサ、虹彩センサ、分子センサ、ジャイロスコープ、気圧計、湿度計、温度計、赤外線センサなどをさらに含んでよく、ここでは説明を省略する。
【００９８】
表示ユニット５０６は、ユーザにより入力された情報又はユーザに提供された情報を表示する。表示ユニット５０６は、表示パネル５０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル５０６１を構成することができる。
【００９９】
ユーザ入力ユニット５０７は、入力された数字又は文字情報を受信すると共に、移動通信端末５００のユーザ設定及び機能制御に関連するキー信号入力を生成することができる。具体的には、ユーザ入力ユニット５０７は、タッチパネル５０７１及び他の入力装置５０７２を含む。タッチパネル５０７１は、タッチスクリーンとも呼ばれ、その上又はその近くでのユーザのタッチ操作（例えば、指、スタイラスペンなどの任意の適切な物体又は付属品を用いるタッチパネル５０７１上又はタッチパネル５０７１の近くでのユーザの操作）を収集することができる。タッチパネル５０７１は、タッチ検出装置及びタッチコントローラの２つの部品を含んでよい。タッチ検出装置は、ユーザのタッチの方向及び位置を検出し、タッチ操作による信号を検出し、信号をタッチコントローラに伝送し、タッチコントローラは、タッチ検出装置からタッチ情報を受信し、タッチポイント座標に変換して、プロセッサ５１０に送信し、プロセッサ５１０から送信されたコマンドを受信し、実行する。また、抵抗式、容量式、赤外線式及び表面弾性波式などの複数のタイプでタッチパネル５０７１を実現することができる。タッチパネル５０７１に加えて、ユーザ入力ユニット５０７は、他の入力装置５０７２をさらに含んでよい。具体的には、他の入力装置５０７２は、物理キーボード、機能キー（例えば、ボリューム調節キー、スイッチキーなど）、トラックボール、マウス及び操作レバーを含み得るが、これらに限定されず、ここでは説明を省略する。
【０１００】
さらに、タッチパネル５０７１は、表示パネル５０６１をカバーすることができ、タッチパネル５０７１がその上又はその近くでのタッチ操作を検出した後、プロセッサ５１０に伝送してタッチイベントのタイプを決定し、その後に、プロセッサ５１０は、タッチイベントのタイプに応じて対応する視覚的出力を表示パネル５０６１に提供する。図５において、タッチパネル５０７１と表示パネル５０６１は、２つの独立した部品として移動通信端末５００の入出力機能を実現するが、いくつかの実施例では、タッチパネル５０７１と表示パネル５０６１を一体化して移動通信端末５００の入出力機能を実現することができ、ここでは具体的に限定しない。
【０１０１】
インタフェースユニット５０８は、外部装置と移動通信端末５００を接続するインタフェースである。例えば、外部装置は、有線又は無線ヘッドセットポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット５０８は、外部装置からの入力（例えば、データ情報、電力など）を受信して、受信した入力を移動通信端末５００内の１つ以上の素子に伝送するか、又は移動通信端末５００と外部装置との間でデータを伝送することができる。
【０１０２】
メモリ５０９は、ソフトウェアプログラム及び様々なデータを記憶することができる。メモリ５０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ５０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１０３】
プロセッサ５１０は、移動通信端末５００の制御センタであり、様々なインタフェース及び回線により移動通信端末５００全体の各部分に接続され、メモリ５０９に記憶されたソフトウェアプログラム及び／又はモジュールを動作させるか又は実行し、かつメモリ５０９に記憶されたデータを呼び出すことにより、移動通信端末５００の様々な機能及びデータ処理を実行して、移動通信端末５００全体をモニタリングする。プロセッサ５１０は、１つ以上の処理ユニットを含んでよく、好ましくは、プロセッサ５１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ５１０に集積されなくてもよいことを理解されたい。
【０１０４】
移動通信端末５００は、各部品に給電する電源５１１（例えば、電池）をさらに含んでよく、好ましくは、電源５１１は、電源管理システムによりプロセッサ５１０と論理的に接続されて、電源管理システムにより充電、放電の管理及び消費電力の管理などの機能を実現することができる。
【０１０５】
また、移動通信端末５００は、いくつかの未図示の機能モジュールを含み、ここでは説明を省略する。
【０１０６】
好ましくは、本開示の実施例に係る移動通信端末は、プロセッサと、メモリと、メモリに記憶されて上記プロセッサ上で実行可能で、プロセッサによって実行されると、上記セルビーム失敗処理方法の実施例の各プロセスを実現し、かつ同じ技術的効果を達成することができるコンピュータプログラムとを含み、重複を避けるために、ここでは説明を省略する。
【０１０７】
図６を参照すると、図６は、本開示の実施例を実現する別のネットワーク側装置の構成図であり、ネットワーク側装置６００は、図２に示すセルビーム失敗処理方法の実施例の各プロセスを実現し、かつ同じ技術的効果を達成することができる。図６に示すように、上記ネットワーク側装置６００は、プロセッサ６０１、トランシーバ６０２、メモリ６０３、ユーザインタフェース６０４及びバスインタフェースを含み、プロセッサ６０１は、メモリ６０３内のプログラムを読み取り、移動通信端末がターゲットセルに対して行われたビーム失敗の検出の結果を少なくとも含む検出結果に応じて送信した指示情報を受信するプロセスと、指示情報に基づいて、ビーム失敗処理を加速する第２動作を実行するプロセスと、を実行する。
【０１０８】
図６において、バスアーキテクチャは、任意の数の相互接続されたバス及びブリッジを含んでよく、具体的には、プロセッサ６０１に代表される１つ以上のプロセッサとメモリ６０３に代表されるメモリの様々な回路によって接続されている。バスアーキテクチャは、さらに、周辺装置、レギュレーター及び電力管理回路などの様々なその他の回路を互いに接続することができ、これらは、いずれも本分野において既知のものであるため、本明細書においてさらに説明しない。バスインタフェースは、インタフェースを提供する。トランシーバ６０２は、複数の素子であってよく、すなわち送信機及び受信機を含み、伝送媒体上で様々なその他の装置と通信するためのユニットを提供する。異なるユーザ装置に応じて、ユーザインタフェース６０４は、必要な装置を外接続と内接続可能なインタフェースであってもよく、接続された装置は、テンキー、ディスプレイ、スピーカ、マイクロフォン、ジョイスティックなどを含むが、これらに限定されない。
【０１０９】
プロセッサ６０１は、バスアーキテクチャ及び一般的な処理の管理を担当し、メモリ６０３は、プロセッサ６０１が動作の実行時に使用するデータを記憶することができる。
【０１１０】
好ましくは、上記検出結果は、ターゲットセルに対して行われたビーム失敗回復条件の検出の結果をさらに含む。
【０１１１】
好ましくは、上記第２動作は、セル再確立を開始する動作と、セル切り替えを開始する動作と、Ｐｓｃｅｌｌ及び／又はＳｃｅｌｌの失敗後の関連プロセスを開始する動作と、Ｐｓｃｅｌｌ及び／又はＳｃｅｌｌの変更プロセスを開始する動作と、Ｐｓｃｅｌｌ及び／又はＳｃｅｌｌのセル解放プロセスを開始する動作と、Ｐｓｃｅｌｌ及び／又はＳｃｅｌｌのセル追加プロセスを開始する動作と、ターゲットセルに利用可能な参照信号をアクティブにするプロセスを開始する動作と、Ｐｃｅｌｌ、Ｐｓｃｅｌｌ、Ｓｐｃｅｌｌ及び／又はＳｃｅｌｌ上の利用可能な参照信号を上記移動通信端末へ指示する動作と、Ｐｃｅｌｌ、Ｐｓｃｅｌｌ、Ｓｐｃｅｌｌ及び／又はＳｃｅｌｌにより新たな利用可能な参照信号を上記移動通信端末へ指示する動作と、Ｐｃｅｌｌ、Ｐｓｃｅｌｌ、Ｓｐｃｅｌｌ及び／又はＳｃｅｌｌ上の新たな利用可能な参照信号により上記移動通信端末に応答する動作と、のうち少なくとも１つを含む。
【０１１２】
本開示の実施例では、ネットワーク側装置６００は、移動通信端末がターゲットセルに対して行われたビーム失敗の検出の結果を少なくとも含む検出結果に応じて送信した指示情報を受信し、指示情報に基づいて、ビーム失敗処理を加速する第２動作を実行する。このように、ネットワーク側装置６００は、受信した指示情報に基づいて、ビーム失敗が生じたターゲットセルに対して、ビーム失敗処理を加速する動作を実行することにより、ビーム失敗回復を迅速に完了し、セルビーム失敗処理能力を向上させ、移動通信端末の通信接続の安定を確保することができる。
【０１１３】
本開示の実施例に係るコンピュータ可読記憶媒体には、プロセッサによって実行されると、上記セルビーム失敗処理方法の実施例の各プロセスを実現し、かつ同じ技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスクなどであってよい。
【０１１４】
なお、本明細書において、用語「含む」、「含み」又はそれらの任意の他の変形は、非排他的な包含をカバーすることを意図し、それにより一連の要素を含むプロセス、方法、物品又は装置は、それらの要素を含むだけでなく、明確に例示されない他の要素を含むか、又はこのようなプロセス、方法、物品又は装置に固有の要素を含む。更なる限定がない場合、語句「１つの……含む」で限定された要素は、該要素を含むプロセス、方法、物品又は装置に他の同様な要素がさらに存在することを排除するものではない。
【０１１５】
以上の実施形態の説明により、当業者が明確に理解できるように、上記実施例の方法は、ソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段の本質的部分又は従来技術に寄与する部分は、ソフトウェア製品の形態で具現化されてよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク装置などであってよい）に本開示の各実施例に記載の方法を実行させるための複数のコマンドを含む。
【０１１６】
以上の内容は、本開示の具体的な実施形態に過ぎないが、本開示の保護範囲は、これに限定されるものではなく、当業者であれば本開示に開示された技術的範囲内に容易に想到し得る変化又は置換は、いずれも本開示の保護範囲に含まれるべきである。したがって、本開示の保護範囲は、特許請求の範囲の保護範囲を基準とするべきである。
【符号の説明】
【０１１７】
300  移動通信端末
301  検出モジュール
302  第１実行モジュール
400  ネットワーク側装置
401  受信モジュール
402  第２実行モジュール
500  移動通信端末
501  無線周波数ユニット
502  ネットワークモジュール
503  オーディオ出力ユニット
504  入力ユニット
505  センサ
506  表示ユニット
507  ユーザ入力ユニット
508  インタフェースユニット
509  メモリ
510  プロセッサ
511  電源
600  ネットワーク側装置
601  プロセッサ
602  トランシーバ
603  メモリ
604  ユーザインタフェース
5041  グラフィック処理ユニット
5042  マイクロフォン
5061  表示パネル
5071  タッチパネル
5072  他の入力装置
【図１】
2021533676.tif 000003
【図２】
2021533676.tif 000004
【図３】
2021533676.tif 000005
【図４】
2021533676.tif 000006
【図５】
2021533676.tif 000007
【図６】
2021533676.tif 000008
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
移動通信端末に適用されるセルビーム失敗処理方法であって、
ビーム失敗の検出を少なくとも含む検出動作をターゲットセルにおいて実行することと、
検出結果に応じて、ビーム失敗処理を加速する第１動作をターゲットセルにおいて実行することとを含む、セルビーム失敗処理方法。
【請求項２】
前記検出動作は、ビーム失敗回復条件の検出をさらに含み、検出結果に応じて、ビーム失敗処理を加速する第１動作をターゲットセルにおいて実行することは、具体的には、
ビーム失敗の検出によりビーム失敗イベントが検出され、かつビーム失敗回復条件が成立しない場合、ビーム失敗処理を加速する第１動作をターゲットセルにおいて実行することである、請求項１に記載のセルビーム失敗処理方法。
【請求項３】
前記ビーム失敗回復条件は、
ターゲットセルにおいて利用可能な候補ビームがあるか否かと、
ターゲットセルにおいてビーム失敗回復プロセスを実行するために利用可能なリソースがあるか否かと、
検出されたビーム失敗イベントに対応するビーム失敗回復失敗イベントがターゲットセルにおいて発生したか否かと、のうち少なくとも１つを含む、請求項２に記載のセルビーム失敗処理方法。
【請求項４】
ターゲットセルにおいてビーム失敗回復プロセスを実行するために利用可能なリソースがあるか否かは、具体的には、
前記ターゲットセルにおいて非競合ベースランダムアクセスＣＦＲＡプロセスのための第１リソースが設定されるか否かと、
前記ターゲットセルにおいて、ビーム失敗回復をサポートするＣＦＲＡプロセスのためのリソースである第２リソースが設定されるか否かと、
前記第２リソース上の参照信号が測定性能要件を満たすか否かと、
前記ターゲットセルにおいて競合ベースランダムアクセスＣＢＲＡプロセスのための第３リソースが設定されるか否かと、
前記ターゲットセルにおいて、ビーム失敗回復をサポートするＣＢＲＡプロセスに利用可能なリソースである第４リソースが設定されるか否かと、
前記第４リソース上の参照信号が測定性能要件を満たすか否かと、のうち少なくとも１つを含む、請求項３に記載のセルビーム失敗処理方法。
【請求項５】
前記ビーム失敗の検出は、具体的には、ターゲットセル上でターゲット参照信号を検出して得られた測定性能情報に基づいて、ビーム失敗イベントが検出されたか否かを判定することである、請求項１〜４のいずれか一項に記載のセルビーム失敗処理方法。
【請求項６】
前記ターゲット参照信号は、
ターゲットセルに対して設定されたビーム失敗の検出のための参照信号と、
ターゲットセルに対して設定されたビーム失敗イベントのための参照信号と、
ターゲットセルに対して設定されたビーム管理のための参照信号と、
ターゲットセル上で検出可能な参照信号と、
ターゲットセルに対して設定された所定数の参照信号と、のうち少なくとも１つを含む、請求項５に記載のセルビーム失敗処理方法。
【請求項７】
前記第１動作は、
ビーム失敗回復プロセスを直接的に開始する動作と、
無線リンク失敗ＲＬＦを直接的にトリガする動作と、
上位層ビーム失敗サンプルを指示する動作と、
ネットワーク側に指示情報を報告する動作と、のうち少なくとも１つを含む、請求項１〜４のいずれか一項に記載のセルビーム失敗処理方法。
【請求項８】
前記指示情報は、メディアアクセス制御用制御要素ＭＡＣ  ＣＥ、物理アップリンク制御チャネルＰＵＣＣＨ又は無線リソース制御ＲＲＣメッセージにより搬送され、
及び／又は
前記指示情報は、セカンダリセルＳｃｅｌｌ、プライマリセルＰｃｅｌｌ、プライマリセカンダリセルＰｓｃｅｌｌ又はスペシャルセルＳｐｃｅｌｌにより報告される、請求項７に記載のセルビーム失敗処理方法。
【請求項９】
前記指示情報は、
セカンダリセルＳｃｅｌｌ、プライマリセルＰｃｅｌｌ、プライマリセカンダリセルＰｓｃｅｌｌ、及び／又はスペシャルセルＳｐｃｅｌｌにおけるビーム失敗を指示する第１情報と、
測定性能要件を満たさないターゲット参照信号の数及び／又は測定性能情報を指示する第２情報と、
ターゲットセルにおいて利用可能な候補ビーム及び／又は候補ビームの参照信号の測定性能情報がないことを指示する第３情報と、
ターゲットセルにおいてビーム失敗回復プロセスを実行するために利用可能なリソースがないことを指示する第４情報と、
参照信号の測定性能情報を指示する第５情報と、
前記移動通信端末が選択した代替ビームを指示する第６情報と、
所定数の参照信号に失敗したイベントを指示する第８情報と、
所定の参照信号及び／又は候補ビームに対応する参照信号に失敗したイベントを指示する第９情報と、
設定された追加の参照信号を表示することを指示する第１０情報と、
競合ベースランダムアクセスＣＢＲＡのためのリソースの参照信号の測定性能情報を指示する第１１情報と、
参照信号の測定性能情報を指示する第１２情報と、のうち少なくとも１つを含み、参照信号は、候補ビームの参照信号、全てのビームの参照信号、所定数の参照信号、所定のビームの参照信号のうち少なくとも１つを含む、請求項７に記載のセルビーム失敗処理方法。
【請求項１０】
ネットワーク側に適用されるセルビーム失敗処理方法であって、
移動通信端末がターゲットセルに対して行われたビーム失敗の検出の結果を少なくとも含む検出結果に応じて送信した指示情報を受信することと、
指示情報に基づいて、ビーム失敗処理を加速する第２動作を実行することとを含む、セルビーム失敗処理方法。
【請求項１１】
前記検出結果は、ターゲットセルに対して行われたビーム失敗回復条件の検出の結果をさらに含む、請求項１０に記載のセルビーム失敗処理方法。
【請求項１２】
前記第２動作は、
セル再確立を開始する動作と、
セル切り替えを開始する動作と、
プライマリセカンダリセルＰｓｃｅｌｌ又はセカンダリセルＳｃｅｌｌの失敗後の関連プロセスを開始する動作と、
プライマリセカンダリセルＰｓｃｅｌｌ又はセカンダリセルＳｃｅｌｌの変更プロセスを開始する動作と、
プライマリセカンダリセルＰｓｃｅｌｌ又はセカンダリセルＳｃｅｌｌのセル解放プロセスを開始する動作と、
プライマリセカンダリセルＰｓｃｅｌｌ又はセカンダリセルＳｃｅｌｌのセル追加プロセスを開始する動作と、
ターゲットセルに利用可能な参照信号をアクティブにするプロセスを開始する動作と、
セカンダリセルＳｃｅｌｌ、プライマリセルＰｃｅｌｌ、プライマリセカンダリセルＰｓｃｅｌｌ、及び／又はスペシャルセルＳｐｃｅｌｌ上の利用可能な参照信号を前記移動通信端末へ指示する動作と、
セカンダリセルＳｃｅｌｌ、プライマリセルＰｃｅｌｌ、プライマリセカンダリセルＰｓｃｅｌｌ及び／又はスペシャルセルＳｐｃｅｌｌにより新たな利用可能な参照信号を前記移動通信端末へ指示する動作と、
セカンダリセルＳｃｅｌｌ、プライマリセルＰｃｅｌｌ、プライマリセカンダリセルＰｓｃｅｌｌ及び／又はスペシャルセルＳｐｃｅｌｌ上の新たな利用可能な参照信号により前記移動通信端末に応答する動作と、のうち少なくとも１つを含む、請求項１０又は１１に記載のセルビーム失敗処理方法。
【請求項１３】
ビーム失敗の検出を少なくとも含む検出動作をターゲットセルにおいて実行する検出モジュールと、
検出結果に応じて、ビーム失敗処理を加速する第１動作をターゲットセルにおいて実行する第１実行モジュールとを含む、移動通信端末。
【請求項１４】
前記検出動作は、ビーム失敗回復条件の検出をさらに含み、前記第１実行モジュールは、さらに、
ビーム失敗の検出によりビーム失敗イベントが検出され、かつビーム失敗回復条件が成立しない場合、ビーム失敗処理を加速する第１動作をターゲットセルにおいて実行する、請求項１３に記載の移動通信端末。
【請求項１５】
移動通信端末がターゲットセルに対して行われたビーム失敗の検出の結果をさらに含む検出結果に応じて送信した指示情報を受信する受信モジュールと、
指示情報に基づいて、ビーム失敗処理を加速する第２動作を実行する第２実行モジュールとを含む、ネットワーク側装置。
【国際調査報告】
2021533676.tif 000009
2021533676.tif 000010
2021533676.tif 000011
2021533676.tif 000012